【手続補正書】
【提出日】平成15年10月16日(2003.10.16)
【手続補正１】
【補正対象書類名】明細書
【補正対象項目名】発明の名称
【補正方法】変更
【補正の内容】
【発明の名称】サーバコンピュータおよび廃棄物処理装置監視システム


【手続補正２】
【補正対象書類名】明細書
【補正対象項目名】特許請求の範囲
【補正方法】変更
【補正の内容】
【特許請求の範囲】
【請求項１】
通信インターフェースを介して廃棄物処理装置との間で各種情報を送受信するサーバ情報通信手段と、
このサーバ情報通信手段により前記廃棄物処理装置に対して装置運転情報に関する履歴の送信を要求する履歴送信要求手段と、
この履歴送信要求手段により要求した装置運転情報に関する履歴を前記サーバ情報通信手段によって前記廃棄物処理装置から取得する履歴取得手段と、
を備えることを特徴とするサーバコンピュータ。
【請求項２】
前記履歴送信要求手段は、前記サーバ情報通信手段により前記廃棄物処理装置からの異常が発生した旨を示す情報を受信した場合に実行されることを特徴とする請求項１記載のサーバコンピュータ。
【請求項３】
前記履歴取得手段により取得した装置運転情報に関する履歴をグラフィック化するグラフィック手段を備えることを特徴とする請求項４または５記載のサーバコンピュータ。
【請求項４】
ネットワークを介して廃棄物処理装置とサーバコンピュータとを接続した廃棄物処理装置監視システムにおいて、
前記廃棄物処理装置は、廃棄物を加熱することにより減量処理し、
前記廃棄物処理装置の運転情報に関する履歴をメモリに記憶保持させる履歴記憶手段と、
通信インターフェースを介してサーバコンピュータとの間で各種情報を送受信するクライアント情報通信手段と、
このクライアント情報通信手段による前記サーバコンピュータからの送信要求に応じ、前記メモリに記憶保持された運転情報に関する履歴を少なくとも含む各種情報を前記サーバコンピュータに対して送信する履歴送信手段と、
を備え、
前記サーバコンピュータは、
通信インターフェースを介して前記廃棄物処理装置との間で各種情報を送受信するサーバ情報通信手段と、
このサーバ情報通信手段により前記廃棄物処理装置に対して運転情報に関する履歴の送信を要求する履歴送信要求手段と、
この履歴送信要求手段により要求した運転情報に関する履歴を前記サーバ情報通信手段によって前記廃棄物処理装置から取得する履歴取得手段と、
を備えることを特徴とする廃棄物処理装置監視システム。
【請求項５】
前記サーバコンピュータから前記廃棄物処理装置へのアクセスにより前記廃棄物処理装置における各種の情報処理を遠隔操作する情報処理手段を備えることを特徴とする請求項４記載の廃棄物処理装置監視システム。
【手続補正３】
【補正対象書類名】明細書
【補正対象項目名】０００１
【補正方法】変更
【補正の内容】
【０００１】
【発明の属する技術分野】
本発明は、廃棄物をバーナーで加熱することにより減量処理する廃棄物処理装置にネットワークを介して接続したサーバコンピュータおよび廃棄物処理装置監視システムに関する。


【手続補正４】
【補正対象書類名】明細書
【補正対象項目名】０００８
【補正方法】変更
【補正の内容】
【０００８】
【課題を解決するための手段】


【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項１記載の発明のサーバコンピュータは、通信インターフェースを介して廃棄物処理装置との間で各種情報を送受信するサーバ情報通信手段と、このサーバ情報通信手段により前記廃棄物処理装置に対して装置運転情報に関する履歴の送信を要求する履歴送信要求手段と、この履歴送信要求手段により要求した装置運転情報に関する履歴を前記サーバ情報通信手段によって前記廃棄物処理装置から取得する履歴取得手段と、を備える。


【手続補正１１】
【補正対象書類名】明細書
【補正対象項目名】００１６
【補正方法】変更
【補正の内容】
【００１６】
請求項２記載の発明は、請求項１記載のサーバコンピュータにおいて、前記履歴送信要求手段は、前記サーバ情報通信手段により前記廃棄物処理装置からの異常が発生した旨を示す情報を受信した場合に実行される。


【手続補正１２】
【補正対象書類名】明細書
【補正対象項目名】００１８
【補正方法】変更
【補正の内容】
【００１８】
請求項３記載の発明は、請求項１または２記載のサーバコンピュータにおいて、前記履歴取得手段により取得した装置運転情報に関する履歴をグラフィック化するグラフィック手段を備える。


【手続補正１３】
【補正対象書類名】明細書
【補正対象項目名】００２０
【補正方法】変更
【補正の内容】
【００２０】
請求項４記載の発明は、ネットワークを介して廃棄物処理装置とサーバコンピュータとを接続した廃棄物処理装置監視システムにおいて、前記廃棄物処理装置は、廃棄物を加熱することにより減量処理し、前記廃棄物処理装置の運転情報に関する履歴をメモリに記憶保持させる履歴記憶手段と、通信インターフェースを介してサーバコンピュータとの間で各種情報を送受信するクライアント情報通信手段と、このクライアント情報通信手段による前記サーバコンピュータからの送信要求に応じ、前記メモリに記憶保持された運転情報に関する履歴を少なくとも含む各種情報を前記サーバコンピュータに対して送信する履歴送信手段と、
を備え、前記サーバコンピュータは、通信インターフェースを介して前記廃棄物処理装置との間で各種情報を送受信するサーバ情報通信手段と、このサーバ情報通信手段により前記廃棄物処理装置に対して運転情報に関する履歴の送信を要求する履歴送信要求手段と、この履歴送信要求手段により要求した運転情報に関する履歴を前記サーバ情報通信手段によって前記廃棄物処理装置から取得する履歴取得手段と、を備える。


【手続補正１４】
【補正対象書類名】明細書
【補正対象項目名】００２１
【補正方法】変更
【補正の内容】
【００２１】
したがって、メモリに記憶保持された装置運転情報に関する履歴を少なくとも含む各種情報がサーバコンピュータに送信されることにより、送信された装置運転情報に関する履歴に基づきサーバコンピュータ側で廃棄物処理装置の使用状況の把握が可能になる。これにより、例えば廃棄物処理装置に故障等が発生した際には、当該廃棄物処理装置の装置運転情報に基づき対応策を練ることが可能になり、的確な対応策を採ることが可能になる。
【手続補正１５】
【補正対象書類名】明細書
【補正対象項目名】００２２
【補正方法】変更
【補正の内容】
【００２２】
請求項５記載の発明は、請求項４記載の廃棄物処理装置監視システムにおいて、前記サーバコンピュータから前記廃棄物処理装置へのアクセスにより前記廃棄物処理装置における各種の情報処理を遠隔操作する情報処理手段を備える。


【手続補正１６】
【補正対象書類名】明細書
【補正対象項目名】００６９
【補正方法】変更
【補正の内容】
【００６９】
【発明の効果】


【手続補正１７】
【補正対象書類名】明細書
【補正対象項目名】００７０
【補正方法】削除
【補正の内容】
【手続補正１８】
【補正対象書類名】明細書
【補正対象項目名】００７１
【補正方法】削除
【補正の内容】
【手続補正１９】
【補正対象書類名】明細書
【補正対象項目名】００７２
【補正方法】変更
【補正の内容】
【００７２】
請求項１記載の発明のサーバコンピュータによれば、通信インターフェースを介して廃棄物処理装置との間で各種情報を送受信するサーバ情報通信手段と、このサーバ情報通信手段により前記廃棄物処理装置に対して装置運転情報に関する履歴の送信を要求する履歴送信要求手段と、この履歴送信要求手段により要求した装置運転情報に関する履歴を前記サーバ情報通信手段によって前記廃棄物処理装置から取得する履歴取得手段と、を備えることにより、廃棄物処理装置の装置運転情報に関する履歴を取得することができるので、例えば廃棄物処理装置に故障等が発生した際には、当該廃棄物処理装置の装置運転情報に基づき対応策を練ることができ、的確な対応策を採ることができる。


【手続補正２０】
【補正対象書類名】明細書
【補正対象項目名】００７３
【補正方法】変更
【補正の内容】
【００７３】
請求項２記載の発明によれば、請求項１記載のサーバコンピュータにおいて、前記履歴送信要求手段は、前記サーバ情報通信手段により前記廃棄物処理装置からの異常が発生した旨を示す情報を受信した場合に実行されることにより、異常が発生した旨を示す情報が廃棄物処理装置から送信されると、当該廃棄物処理装置の装置運転情報を自動的に取得することができるので、トラブルに対する迅速な対応を採ることができる。


【手続補正２１】
【補正対象書類名】明細書
【補正対象項目名】００７４
【補正方法】変更
【補正の内容】
【００７４】
請求項３記載の発明によれば、請求項１または２記載のサーバコンピュータにおいて、前記履歴取得手段により取得した装置運転情報に関する履歴をグラフィック化するグラフィック手段を備えることにより、装置運転情報に関する履歴に異常値が有る場合、その異常値を直感的に認識することができる。


【手続補正２２】
【補正対象書類名】明細書
【補正対象項目名】００７５
【補正方法】変更
【補正の内容】
【００７５】
請求項４記載の発明の廃棄物処理装置監視システムによれば、送信された装置運転情報に関する履歴に基づきサーバコンピュータ側で廃棄物処理装置の使用状況を把握することができるので、例えば廃棄物処理装置に故障等が発生した際には、当該廃棄物処理装置の装置運転情報に基づき対応策を練ることができ、的確な対応策を採ることができる。
【手続補正２３】
【補正対象書類名】明細書
【補正対象項目名】００７６
【補正方法】変更
【補正の内容】
【００７６】
請求項５記載の発明によれば、請求項４記載の廃棄物処理装置監視システムにおいて、前記サーバコンピュータから前記廃棄物処理装置へのアクセスにより前記廃棄物処理装置における各種の情報処理を遠隔操作する情報処理手段を備えることにより、例えば廃棄物処理装置の設定変更や制御プログラムの書き換え等をサーバコンピュータから行えるようになるので、各種作業の能率向上に寄与することができる。